(57)【特許請求の範囲】
【請求項１】
製品のリサイクルコスト、環境負荷が最小となるリサイクル処理方法を導出するリサイクル処理コスト、環境負荷評価装置であって、
製品を構成する素材情報、製品の解体方法、解体ユーティリティ情報、回収物の再生方法、再生ユーティリティ情報、ユーティリティのコスト、環境負荷情報を記憶する記憶装置と、
評価製品の全ての解体方法を導出する全解体方法導出部と、
評価製品の各解体方法に応じた再生方法を導出する全再生方法導出部と、
各リサイクル処理方法の解体方法、再生方法ごとに用いるユーティリティと、コスト単価情報に基づき、解体コスト、再生コストを算出するコスト算出部と、
各リサイクル処理方法の解体方法、再生方法ごとに用いるユーティリティと、環境負荷コスト換算係数情報に基づき、解体環境負荷、再生環境負荷を算出する環境負荷算出部と、
前記算出したコスト、環境負荷からこれらの値が最小となる処理方法を出力する表示制御部とを備えたことを特徴とするリサイクル処理コスト、環境負荷評価装置。
【請求項２】
入出力インターフェースを介して、ユーザにデータ入力画面を提示して、製品評価に先立って、ユーザによる製品情報ファイル、解体情報ファイル、再生情報ファイル、およびコスト、環境負荷原単位ファイルの読込みの指示を受付けて、データサーバ、または記憶媒体より該当データファイルを読み込んで、記憶装置の該当データテーブルに格納するデータ受付部を更に備えたことを特徴とする請求項１に記載のリサイクル処理コスト、環境負荷評価装置。
【請求項３】
前記全再生方法導出部は、評価製品を解体する各解体方法において、当該解体方法によって得られる回収物ごとに、当該回収物を構成する素材の組合せと同じ素材の組合せを再生処理の入力とする再生方法を検索して、各解体方法と、各解体方法に応じて検索された再生方法との全ての組合せを、新しい処理ＩＤを付けて評価対象としてリストアップすることを特徴とする請求項１に記載のリサイクル処理コスト、環境負荷評価装置。
【請求項４】
前記表示制御部は、解体コストと解体環境負荷との合計より解体統合指標を、再生コストと再生環境負荷との合計より再生統合指標を計算して、ユーザに算出結果の出力画面を提示して、評価製品名とその構成素材、再生処理によって得られる再生素材の量がユーザによって予め指定された条件と同一となる処理について、解体統合指標と再生統合指標を合計した統合指標値を示したグラフ、および前記統合指標値が最小となる処理ＩＤの再生素材の量、前記統合指標値を出力することを特徴とする請求項３に記載のリサイクル処理コスト、環境負荷評価装置。
【請求項５】
前記表示制御部は、ユーザに算出結果の出力画面を提示して、評価対象のリサイクル処理方法の中で、再生処理によって得られる再生素材の量がユーザが指定した条件を満たす処理方法のみを、解体統合指標と再生統合指標を合計した統合指標値を示したグラフによって比較して出力することを特徴とする請求項４に記載のリサイクル処理コスト、環境負荷評価装置。
【請求項６】
製品を構成する素材情報、製品の解体方法、解体ユーティリティ情報、回収物の再生方法、再生ユーティリティ情報、ユーティリティのコスト、環境負荷情報を製品の評価に先立って記憶装置に記憶する工程と、
評価対象となる製品のユーザ選択を受付ける工程と、
評価製品の全ての解体方法を記憶装置に記憶した情報に基づいて導出する工程と、
前記評価製品を解体する各解体方法において、当該解体方法によって得られる回収物ごとに、当該回収物を構成する素材の組合せと同じ素材の組合せを再生処理の入力とする再生方法を検索して、各解体方法と、各解体方法に応じて検索された再生方法との全ての組合せを、新しい処理ＩＤを付けて評価対象としてリストアップする工程と、
各リサイクル処理方法の解体方法、再生方法ごとに用いるユーティリティと、コスト単価情報に基づき、解体コスト、再生コストを算出する工程と、
各リサイクル処理方法の解体方法、再生方法ごとに用いるユーティリティと、環境負荷コスト換算係数情報に基づき、解体環境負荷、再生環境負荷を算出する工程と、
前記算出したコスト、環境負荷からこれらの値が最小となる処理方法を出力する工程とをリサイクル処理コスト、環境負荷評価装置が実行することを特徴とするリサイクル処理コスト、環境負荷評価方法。
【発明の詳細な説明】
【技術分野】
【０００１】
本発明は、リサイクル処理コスト、環境負荷評価装置、および評価方法に関する。
【背景技術】
【０００２】
本技術分野の背景技術として、特開２００５−３０１８６７号公報（特許文献１）がある。この公報には、「リサイクル段階において、製品を構成する材料毎のリサイクル形態を指定することにより、産業連関表から算出した排出原単位を利用して環境負荷量を求める。」と記載されている（要約参照）。
【先行技術文献】
【特許文献】
【０００３】
【特許文献１】特開２００５−３０１８６７号公報
【発明の概要】
【発明が解決しようとする課題】
【０００４】
前記特許文献１には、製品を構成する材料毎のリサイクル形態を指定することで環境負荷量を算出する評価装置が記載されている。しかし、特許文献１の評価装置は評価対象製品について環境負荷が最小となる処理方法を探索することが非常に困難となる。
【０００５】
このような評価装置で環境負荷が最小となる処理方法を導出するには、評価製品がとりうるリサイクル形態全てを把握し、各形態について情報を入力しなければならなく工数は膨大となる。
【０００６】
そこで、本発明は、製品情報から当該製品が取りうる解体方法と回収物を、回収物から取りうる素材再生方法と回収素材を全て導出し、各処理で発生するコスト、環境負荷を計算することでこれらの値が最小となるリサイクル処理方法を導出する方法を提供する。
【課題を解決するための手段】
【０００７】
上記課題を解決するために本発明では、製品のリサイクルコスト、環境負荷が最小となるリサイクル処理方法を導出するリサイクル処理コスト、環境負荷評価装置を、製品を構成する素材情報、製品の解体方法、解体ユーティリティ情報、回収物の再生方法、再生ユーティリティ情報、ユーティリティのコスト、環境負荷情報を記憶する記憶装置と、評価製品の全ての解体方法を導出する全解体方法導出部と、評価製品の各解体方法に応じた再生方法を導出する全再生方法導出部と、各リサイクル処理方法の解体方法、再生方法ごとに用いるユーティリティと、コスト単価情報に基づき、解体コスト、再生コストを算出するコスト算出部と、各リサイクル処理方法の解体方法、再生方法ごとに用いるユーティリティと、環境負荷コスト換算係数情報に基づき、解体環境負荷、再生環境負荷を算出する環境負荷算出部と、前記算出したコスト、環境負荷からこれらの値が最小となる処理方法を出力する表示制御部とを備えて構成した。
【０００８】
また、上記課題を解決するために本発明では、リサイクル処理コスト、環境負荷評価装置が、入出力インターフェースを介して、ユーザにデータ入力画面を提示して、製品評価に先立って、ユーザによる製品情報ファイル、解体情報ファイル、再生情報ファイル、およびコスト、環境負荷原単位ファイルの読込みの指示を受付けて、データサーバ、または記憶媒体より該当データファイルを読み込んで、記憶装置の該当データテーブルに格納するデータ受付部を更に備えた。
【０００９】
また、上記課題を解決するために本発明では、前記全再生方法導出部は、評価製品を解体する各解体方法において、当該解体方法によって得られる回収物ごとに、当該回収物を構成する素材の組合せと同じ素材の組合せを再生処理の入力とする再生方法を検索して、各解体方法と、各解体方法に応じて検索された再生方法との全ての組合せを、新しい処理ＩＤを付けて評価対象としてリストアップすることを特徴とする。
【発明の効果】
【００１０】
本発明によれば、評価製品についてコスト、環境負荷が最小となるリサイクル処理方法を提示することができる。
上記した以外の課題、構成及び効果は、以下の実施形態の説明により明らかにされる。
【図面の簡単な説明】
【００１１】
【図１】リサイクル処理コスト、環境負荷算出装置の構成図の例である。
【図２】リサイクル処理コスト、環境負荷の算出処理を説明するフローチャートの例である。
【図３】データ入力画面の例である。
【図４】製品情報テーブルの例である。
【図５】解体方法テーブルの例である。
【図６】解体ユーティリティテーブルの例である。
【図７】再生方法テーブルの例である。
【図８】再生ユーティリティテーブルの例である。
【図９】コスト、環境負荷情報テーブルの例である。
【図１０】出力情報テーブルの例である。
【図１１】出力画面の例である。
【図１２】各解体方法に応じた再生方法の導出処理のフローチャートである。
【発明を実施するための形態】
【００１２】
以下、実施例を図面を用いて説明する。
【実施例１】
【００１３】
本実施例では、評価対象製品のリサイクル処理コスト、および環境負荷が最小となるリサイクル処理方法を導出するリサイクル処理コスト、環境負荷評価装置の例を説明する。本実施例において、リサイクル工程は製品を解体(製品を部品レベルに分解する工程と、破砕機によってチップ、粉体レベルまで破砕する工程を含む)する解体工程と、解体工程によって得られた回収物から素材を再生する再生工程からなるものとしている。
【００１４】
図１に、本実施例のリサイクル処理コスト、環境負荷評価装置の構成図の例を示す。
リサイクル処理コスト、環境負荷評価装置１００は、ＣＰＵ１１０、記憶装置１２０、メモリ１３０、ディスク記録・再生装置１４０、外部にあるデータサーバ２０１とネットワーク２０２を介して通信する通信装置１５０、ディスプレイ１６１やキーボード・マウス１６２の入出力インターフェース１６０を有する。
【００１５】
ＣＰＵ１１０は、記憶装置１２０に記憶するプログラム(図示せず)をロード、実行して、機能的に、データ受付部１１１、全解体方法導出部１１２、全再生方法導出部１１３、コスト算出部１１４、環境負荷算出部１１５、表示制御部１１６を有する。
【００１６】
記憶装置１２０には、製品情報テーブル１２１、解体方法テーブル１２２、解体ユーティリティテーブル１２３、再生方法テーブル１２４、再生方法ユーティリティテーブル１２５、コスト、環境負荷情報テーブル１２６、出力情報テーブル１２７が記憶されている。
【００１７】
図２は、本実施例のリサイクル処理コスト、環境負荷評価装置を使用して、ユーザが評価製品の最適なリサイクル方法を得るまでの概略処理を説明するフローチャートである。各ステップの処理内容の詳細については後述する。
【００１８】
図３は、データ受付部１１１によりディスプレイ１６１に表示されたデータ入力画面３００の例である。
データ入力画面３００は、ユーザが評価対象製品の最適なリサイクル方法を本実施例の評価装置により評価をするために、予め入力するデータを指定するための画面である。各データファイルは、総務庁発行の統計資料、ユーザの企業内実績情報、製品設計情報、公知情報などに基づいて既に作成されてデータサーバ２０１に記憶されているか、ディスク記録・再生装置１４０を介して記憶媒体に記憶されたデータファイルが読み出される。
【００１９】
ユーザは、データ入力画面３００上の製品情報ファイル読込み欄３０１、解体情報ファイル読込み欄３０２、再生情報ファイル読込み欄３０３、コスト、環境負荷原単位ファイル読込み欄３０４において、参照釦３０６をマウスでクリックして、データサーバ２０１、または記憶媒体に記憶されているデータファイルの一覧より、所望のデータファイルを選択して、読込釦３０７をマウスでクリックすることにより、該当データファイルを記憶装置１２０の該当テーブルに記憶する指示を入力する。
また、ユーザは、データ入力画面３００上の評価製品選択欄３０５より、これから評価を行なう対象の製品を選択して、処理実行釦３０８により、評価製品の最適なリサイクル方法を得る処理を実行する指示を入力する。
データ受付部１１１は、データ入力画面３００上よりユーザが指定したデータファイルの読込みを実行する(ステップＳ１)と共に、指定された評価製品を受け付けて(ステップＳ２)、評価処理を開始する。
なお、ここでいう製品情報ファイルとは、製品情報テーブル１２１を有するファイルを示す。解体情報ファイルとは解体方法テーブル１２２、解体ユーティリティテーブル１２３を有するファイルを示す。再生情報ファイルとは再生方法テーブル１２４、再生ユーティリティテーブル１２５を有するファイルを示す。コスト、環境負荷原単位ファイルとはコスト、環境負荷情報テーブル１２６を有するファイルを示す。
【００２０】
図４は、製品情報テーブル１２１の例である。製品情報テーブル１２１は、評価製品の製品ＩＤが格納される製品ＩＤ領域１２１ａと、評価製品の製品名が格納される製品名領域１２１ｂと、製品を構成する部品の部品ＩＤが格納される部品ＩＤ領域１２１ｃと、製品を構成する部品の部品名が格納される部品名領域１２１ｄと、部品を構成する素材の素材ＩＤが格納される素材ＩＤ領域１２１ｅと、部品を構成する素材の素材名が格納される素材名領域１２１ｆと、部品の重量が格納される部品重量領域１２１ｇとを少なくとも有している。
図４では、鉄１００ｇで構成される部品「ケーシング」、鉄３００ｇと銅３００ｇで構成される部品「ステータ」、鉄２００ｇとＮｄ磁石１００ｇで構成される部品「ロータ」で構成される製品「モータ」の情報が入力されたテーブルを示している。
【００２１】
図５は、解体方法テーブル１２２の例である。
解体方法テーブル１２２は、解体の対象となる製品のＩＤが格納される製品ＩＤ領域１２２ａと、解体方法を特定するＩＤが格納される解体ＩＤ領域１２２ｂと、解体される部品のＩＤを示す解体部品ＩＤ領域１２２ｃ〜ｅと、解体によって得られる回収物を特定するＩＤが格納される回収物ＩＤ領域１２２ｆと、回収物を構成する素材の素材ＩＤが格納される素材ＩＤ領域１２２ｇと、回収物を構成する素材の重量が格納される重量領域１２２ｈとを少なくとも有している。
図５では、製品「モータ」において解体する部品が無く（未解体）、鉄６００ｇ、銅３００ｇ、Ｎｄ磁石１００ｇの混合物が回収物となる解体方法の情報が解体ＩＤ「１」として、第１〜第３行目のデータレコードに示している。また、「モータ」から部品ＩＤ「１１」の「ケーシング」を解体して鉄１００ｇの回収物(回収物ＩＤ＝２)と、鉄５００ｇ、銅３００ｇ、Ｎｄ磁石１００ｇの回収物(回収物ＩＤ＝３)が得られる解体方法の情報が解体ＩＤ「２」として、第４〜第７行目のデータレコードに格納されているテーブルを示している。
【００２２】
図６は、解体ユーティリティテーブル１２３の例である。
解体ユーティリティテーブル１２３は、解体方法を特定する解体ＩＤが格納される解体ＩＤ領域１２３ａと、当該解体方法で製品１ｋｇを解体する場合に必要となる電力量が格納される電力領域１２３ｂと、製品１ｋｇを解体する場合に必要となる工数が格納される工数領域１２３ｃと、製品１ｋｇを解体する場合に必要となる水量が格納される水量領域１２３ｄとを少なくとも有している。この他にも必要となるユーティリティが存在する場合は、対応するユーティリティの情報を格納する領域を用意する。
図６では、「解体ＩＤ＝１」の第１行目のデータレコードが、製品に何も処理をせずに回収物とする解体方法を表しており、「解体ＩＤ＝２〜６」の第２〜第６行目のデータレコードが、図５の解体方法テーブルに示される解体方法に対応して、各ユーティリティに必要とされる情報を表している。
【００２３】
図７は、再生方法テーブル１２４の例である。
再生方法テーブル１２４は、再生方法を特定する再生ＩＤが格納される再生ＩＤ領域１２４ａと、再生処理の対象となる、解体処理によって得られる回収物を構成する素材の有無を「１ or ０」で示す数値が格納される素材領域１２４ｂ〜ｄと、再生される素材の有無を「１ or ０」で示す数値が格納される再生素材領域１２４ｅ〜ｇとを少なくとも有している。素材領域１２４ｂ〜ｄの数は再生対象となる回収物を構成する素材の数に対応し、再生素材領域１２４ｅ〜ｇの数も、再生対象となる回収物から再生される素材の数に対応して領域が確保される。
例えば、図７の再生方法テーブルでは、第１行目のデータレコードは、「再生ＩＤ＝１」の再生方法は、素材１(例えば、鉄)を構成素材として含む回収物を再生対象として、再生素材１(例えば、鉄)が得られる再生処理方法であることを表している。また、第８行目のデータレコードは、「再生ＩＤ＝８」の再生方法は、素材１(例えば、鉄)、素材２(例えば、銅)、および素材３(例えば、Ｎｄ磁石)を構成素材として含む回収物を再生対象として、再生素材１(例えば、鉄)のみが再生結果として得られて、銅およびＮｄ磁石は廃棄物中に含まれて失われる再生処理方法であることを表している。
【００２４】
図８は、再生ユーティリティテーブル１２５の例である。
再生ユーティリティテーブル１２５は、再生方法を特定する再生ＩＤが格納される再生ＩＤ領域１２５ａと、当該再生方法で、解体によって得られた回収物１ｋｇを再生する場合に必要となる電力量が格納される電力領域１２５ｂと、回収物１ｋｇを再生する場合に必要となる工数が格納される工数領域１２５ｃと、回収物１ｋｇを再生する場合に必要となる水量が格納される水量領域１２５ｄと、回収物１ｋｇを再生する場合に必要となる酸の量が格納される酸領域１２５ｅを少なくとも有している。この他にも必要となるユーティリティが存在する場合は、対応するユーティリティの情報を格納する領域を用意する。
【００２５】
図９は、コスト、環境負荷情報テーブル１２６の例である。
コスト、環境負荷情報テーブル１２６は、解体処理、または再生処理に必要なユーティリティが格納されるユーティリティ領域１２６ａと、当該ユーティリティの現状の単価が格納されるコスト領域１２６ｂと、当該ユーティリティの環境負荷がコストに換算された係数が格納される環境負荷コスト換算係数１２６ｃとを少なくとも有する。
【００２６】
以上の各テーブル１２１〜１２６は、いずれもリサイクル処理コスト、環境負荷評価装置１００によるコスト、環境負荷算出処理過程の最初に、データ受付部１１１により各テーブルに格納されるデータを外部から受け付け、各データは各テーブル１２１〜１２６の該当領域に格納される。
【００２７】
図１０は、出力情報テーブル１２７の例である。
出力情報テーブル１２７は、評価製品を特定する製品ＩＤが格納される製品ＩＤ領域１２７ａと、評価製品のリサイクル処理方法を示す処理ＩＤが格納される処理ＩＤ領域１２７ｂと、処理方法のうち、解体方法を示す解体ＩＤが格納される解体ＩＤ領域１２７ｃと、再生方法を示す再生ＩＤが格納される再生ＩＤ領域１２７ｄ〜ｆと、当該解体方法のコストが格納される解体コスト領域１２７ｇと、金額に換算された解体処理による環境負荷が格納される解体環境負荷領域１２７ｈと、当該解体方法のコストと環境負荷の合計値が格納される解体統合指標領域１２７ｉと、当該再生方法のコストが格納される再生コスト領域１２７ｊと、金額に換算された再生処理による環境負荷が格納される再生環境負荷領域１２７ｋと、当該再生方法のコストと環境負荷の合計値が格納される再生統合指標領域１２７ｌを有している。
出力情報テーブル１２７の各領域内のデータは、リサイクル処理コスト、環境負荷算出処理の過程で、各値を導出した際に格納される。
【００２８】
次に、本実施形態におけるリサイクル処理コスト、環境負荷評価装置１００の動作について、図２に示すフローチャートに従って説明する
まず、リサイクル処理コスト、環境負荷評価装置１００のデータ受付部１１１がデータ入力画面３００上からユーザによる各情報ファイルの読込みの指示を受けると、ネットワークを介して外部に在るデータサーバなどに記憶されている既作成のデータファイルを検索して、ユーザ指定のデータを読み出して、記憶装置１２０の該当テーブルに格納する。（ステップＳ１）
具体的に説明すると、データ受付部１１１は、ディスク記録・再生装置１４０を介して記憶媒体から、または通信装置１５０を介してネットワークに接続されているデータサーバ２０１に保存されている製品情報、解体情報などの各種情報を受け付け、製品情報テーブル１２１に格納するデータ、解体方法テーブル１２２に格納するデータ、解体ユーティリティテーブル１２３に格納するデータ、再生方法テーブル１２４に格納するデータ、再生ユーティリティテーブル１２５に格納するデータ、コスト、環境負荷情報テーブル１２６に格納するデータを該当テーブル１２１〜１２６の該当領域に格納する。格納されるデータは、図３に示すデータ入力画面上で、ユーザがキーボード・マウス１６２を用いて記憶場所を指定し、読み込みボタンを押下することで決定される。
【００２９】
例えば、製品情報テーブル１２１に格納するデータとして、データ受付部１１１が製品ＩＤとして「１」を受け付け、この製品ＩＤの製品の製品名として「モータ」を受け付け、この製品を構成する部品の部品ＩＤとして「１１」を受け付け、当該部品の部品名として「ケーシング」を受け付け、当該部品を構成する素材の素材ＩＤとして「１」を受け付け、当該素材の素材名として「鉄」を受け付け、当該部品の重量として「１００」を受け付けた場合、データ受付部１１１は、図４に示すように、製品情報テーブル１２１の製品ＩＤ領域１２１ａに「１」を格納し、製品名領域１２１ｂに「モータ」を格納し、部品ＩＤ領域１２１ｃに「１１」を格納し、部品名領域１２１ｄに「ケーシング」を格納し、素材ＩＤ領域１２１ｅに「１」を格納し、素材名ＩＤ領域１２１ｆに「鉄」を格納し、重量領域１２１ｇに「１００」を格納する。
【００３０】
解体方法テーブル１２２に格納するデータとして、データ受付部１１１が製品ＩＤとして「１」を受け付け、解体ＩＤとして「１」を受け付け、当該解体ＩＤの解体方法で解体する部品の情報は受け付けず、当該解体ＩＤの解体方法によって得られる回収物の回収物ＩＤとして「１」を受け付け、当該回収物ＩＤの回収物を構成する素材の素材ＩＤとして「１」「２」「３」を受け付け、当該素材の重量として「６００」「３００」「１００」を受け付けた場合、データ受付部１１１は、図５に示すように、解体情報テーブル１２２の製品ＩＤ領域１２２ａに「１」を格納し、解体ＩＤ領域１２２ｂに「１」を格納し、解体部品領域１２２ｃ〜ｅ回収物領域には何も格納せず、回収物ＩＤ領域１２２ｆに「１」を格納し、素材ＩＤ領域１２２ｇに「１」「２」「３」を格納し、重量領域１２２ｈに「６００」「３００」「１００」を格納する。このように回収物が複数の素材で構成される場合はカラムを追加して格納する。
【００３１】
解体ユーティリティテーブル１２３に格納するデータとして、データ受付部１１１が解体ＩＤとして「１」を受け付け、当該解体ＩＤの解体方法において消費する電力として「０」を受け付け、工数として「０」を受け付け、使用する水の量として「０」を受け付けた場合、データ受付部１１１は、図６に示すように、解体ユーティリティテーブル１２３の解体ＩＤ領域１２３ａに「１」を格納し、電力領域１２３ｂに「０」を格納し、工数領域１２３ｃに「０」を格納し、水領域１２３ｄに「０」を格納する。
【００３２】
再生方法テーブル１２４に格納するデータとして、データ受付部１１１が再生ＩＤとして「１」を受け付け、当該再生ＩＤの再生方法の対象となる回収物を構成する素材の情報として素材１について「１」、素材２について「０」、素材３について「０」を受け付け、当該再生ＩＤの再生方法で再生される素材の情報として再生素材１について「１」、再生素材２について「０」、再生素材３について「０」を受け付けた場合、データ受付部１１１は、図７に示すように、再生方法テーブル１２４の再生ＩＤ領域１２４ａに「１」を格納し、素材領域１２４ｂに「１」を格納し、素材領域１２４ｃに「０」を格納し、素材領域１２４ｄに「０」を格納し、再生素材領域１２４ｅに「１」を格納し、再生素材領域１２４ｆに「０」を格納し、再生素材領域１２４ｇに「０」を格納する。
【００３３】
再生ユーティリティテーブル１２５に格納するデータとして、データ受付部１１１が再生ＩＤとして「１」を受け付け、当該再生ＩＤの再生方法において消費する電力として「２」を受け付け、工数として「２」を受け付け、使用する水の量として「２」を受け付け、使用する酸の量として「０」を受け付けた場合、データ受付部１１１は、図８に示すように、再生ユーティリティテーブル１２５の再生ＩＤ領域１２５ａに「１」を格納し、電力領域１２５ｂに「２」を格納し、工数領域１２５ｃに「２」を格納し、水領域１２５ｄに「２」を格納し、酸領域１２５ｅに「０」を格納する。
【００３４】
コスト、環境負荷情報テーブル１２６に格納するデータとして、データ受付部１１１がユーティリティ情報として「電力(ｋＷｈ)」、当該ユーティリティのコストとして「１５」、環境負荷のコスト換算係数として「１５」を受け付けた場合、データ受付部１１１は、図９に示すように、ユーティリティ領域１２６ａに「電力(ｋＷｈ)」を格納し。コスト領域１２６ｂに「１５」、環境負荷コスト換算係数領域１２６ｃに「１５」を格納する。
【００３５】
なお、これらのデータは、工場で得られた実績値や、一般に公開されている文献値より用意されたものであり、その出処は装置を利用するユーザが事前に作成、または入手しておいたものである。
【００３６】
次に、評価製品を選択する。（ステップＳ２）
具体的に説明すると、図３に示すデータ入力画面３００において、ユーザが評価製品選択のタブ３０５を選ぶと展開される製品の一覧から評価対象とする製品を選択し、処理実行ボタン３０８を押下する。データ受付部１１１は、ユーザの選択を受付けて、評価対象製品ＩＤをメモリ１３０に設定する。
例えば、図４に示す製品情報テーブル１２１が格納されている製品情報ファイルがステップＳ１において読み込まれた場合、評価製品の一覧には製品ＩＤ「１」の「モータ」が表示されるので、ユーザはこれを選択し、処理実行ボタン３０８を押下する。
【００３７】
次に、評価製品の全ての解体方法を導出する。（ステップＳ３）
具体的に説明すると、全解体方法導出部１１２が、解体方法テーブル１２２から、ステップＳ２で選択された製品の製品ＩＤについて定義されている解体ＩＤを抽出し、メモリ部１３０にその情報を格納する。
例えば、図５に示す解体方法テーブル１２２がステップＳ１で読み込まれ、ステップＳ２で評価製品として製品ＩＤ「１」の「モータ」が選択された場合、解体方法テーブル１２２には製品ＩＤ「１」の製品の解体方法として解体ＩＤ「１」から「６」までの解体方法が定義されていることから、これらのＩＤをメモリ部１３０に格納する。
【００３８】
次に、評価製品の各解体方法に応じた再生方法を導出する。（ステップＳ４）
具体的に説明すると、全再生方法導出部１１３が、前ステップＳ３でメモリ部１３０に格納された解体ＩＤの解体方法によって得られる回収物を構成する素材ＩＤと、再生方法テーブル１２４の素材領域に格納されている素材ＩＤが一致する再生方法の再生ＩＤを抽出し、出力情報テーブル１２７に解体ＩＤと対応する再生ＩＤを格納する。そして、解体方法と再生方法の組合せごとに処理ＩＤを定義し、出力情報テーブル１２７に格納する。
【００３９】
例えば、ステップＳ３において製品ＩＤ「１」の製品の解体方法として解体ＩＤ「１」〜「６」がメモリ部１３０に格納されている場合、解体ＩＤ「１」の解体方法について得られる回収物が解体方法テーブル１２２において回収物ＩＤ「１」の１種類であり、その回収物を構成する素材ＩＤが「１」「２」「３」と定義されている。それ故、再生方法テーブル１２４から素材ＩＤ「１」「２」「３」が再生の対象として定義されている再生方法である再生ＩＤ「８」「９」「１０」を抽出する。そして、出力情報テーブル１２７に、解体ＩＤ「１」の解体方法を実施した場合に候補となる再生方法の再生ＩＤとして「８」「９」「１０」を各データレコードごとに格納し、それぞれについて処理ＩＤを「１」「２」「３」と定義して出力情報テーブル１２７に値を格納する。同様の操作を、製品ＩＤ「１」についてとりうる解体方法として定義されている解体ＩＤ「６」までの各解体方法について実施する。以上の操作で、出力情報テーブル１２７には領域１２７ａ〜１２７ｆまでに図１０に示すようなデータが格納される。
【００４０】
以上に説明した、製品ＩＤを特定して、その評価製品を解体する全ての解体方法に応じた再生方法を導出して出力情報テーブルに格納する処理(ステップＳ４)のフローチャートを図１２に示す。
ステップＳ１１では、製品ＩＤを特定して、解体方法テーブル１２２の評価対象製品を解体する方法のうち、最初の解体ＩＤを選択する。
ステップＳ１２では、解体ＩＤごとに、ステップＳ２２までの処理を繰り返す。
ステップＳ１３では、選択された解体ＩＤの解体方法によって得られる回収物ＩＤを解体方法テーブル１２２より全て検索する。
【００４１】
ステップＳ１４では、検索された１つの回収物を構成する素材ＩＤを解体方法テーブル１２２より全て検索する。
ステップＳ１５では、前ステップＳ１４で検索された全ての素材ＩＤと一致する素材を入力とする再生方法(再生ＩＤ)を、再生方法テーブル１２４より検索する。もし、一致する再生ＩＤがあればステップＳ１６へ移行し、一致する再生ＩＤが無ければステップＳ１８へ移行する。
ステップＳ１６では、検索された再生ＩＤを、回収物ＩＤと対応させてメモリ１３０に記録する。
ステップＳ１７では、再生方法テーブル１２４上の次の検索対象の再生ＩＤを指定して、ステップＳ１５へ移行する。
【００４２】
ステップＳ１８では、ステップＳ１４において対象とした回収物以外に、ステップＳ１３において検索された回収物が残っているか確認する。もし、残っていればステップＳ１９へ移行し、残っていなければステップＳ２０へ移行する。
ステップＳ１９では、残っていた回収物の中より次の回収物を素材ＩＤの検索対象として、ステップＳ１４へ移行する。
ステップＳ２０では、選択された解体ＩＤに対応させて、ステップＳ１６で記録した回収物ＩＤと再生ＩＤとの全ての組合せのそれぞれに新しい処理ＩＤを付けて、各データレコードを出力情報テーブル１２７に登録する。
ステップＳ２１では、ステップＳ１２でループ対象とした解体ＩＤの次の解体ＩＤがあれば検索対象とする。もし、次の解体ＩＤがあるならばループ対象としてステップＳ１２より処理を繰り返す。もし、次の解体ＩＤが無ければ、Ｓ２２においてループを終了して、本処理を終了する。
【００４３】
次に、各処理方法のコストを導出する。（Ｓ５）
具体的に説明すると、コスト算出部１１４が、各処理ＩＤについて定義された解体ＩＤの解体方法で用いるユーティリティのデータを解体ユーティリティテーブル１２３から読み込み、このデータと製品情報テーブル１２１から得られる解体対象の製品の部品重量を総計した製品重量を乗じて、製品の解体に必要となる各ユーティリティ量を算出する。そして、得られた値と、コスト、環境負荷情報テーブル１２６に定義されたコスト単価を乗じることで解体コストを算出し、出力情報テーブル１２７の解体コスト領域１２７ｇに格納する。同様に、各処理ＩＤについて定義された再生ＩＤの再生方法で用いるユーティリティのデータを再生ユーティリティテーブル１２５から読み込み、このデータと、解体方法テーブル１２２から得られる再生対象の回収物の各素材の重量を総計した回収物重量を乗じて、素材の再生に必要となる各ユーティリィ量を算出する。そして、得られた値とコスト、環境負荷情報テーブル１２６に定義されたコスト単価１２６ｂを乗じることで再生コストを算出し、出力情報テーブル１２７の再生コスト領域１２７ｊに格納する。
【００４４】
例えば、ステップＳ４までの処理で、図１０に示す出力情報テーブル１２７の様に処理ＩＤ「１」の処理方法の解体方法として解体ＩＤ「１」、再生方法として再生ＩＤ「８」が定義されている場合、解体ユーティリティテーブル１２３から解体製品１ｋｇあたりの電力使用量として「０」、工数として「０」、水使用量として「０」を読み込み(すなわち、解体ＩＤ「１」の解体方法は、製品に解体処理は何も行なわずに回収物として、再生処理へ送ることを表わす。)、これらデータに製品情報テーブル１２１から得られる解体対象の製品重量として１ｋｇ（＝１０００ｇ）を読み込み、これらを乗じて解体に必要となるユーティリティ量（電力使用量「０」、工数「０」、水使用量「０」）を算出する。そして、コスト、環境負荷情報テーブル１２６から単位量あたりの各ユーティリティのコスト単価を読み込み（電力「１５」、工数「２０」、水「５」）、ユーティリティ量とコスト単価を乗じ、各ユーティリティのコストを合計することで解体コストを算出し（解体コスト「０」）、出力情報テーブル１２７の解体コスト領域１２７ｇに値を格納する。
【００４５】
同様に、再生ユーティリティテーブル１２５から再生対象の回収物１ｋｇあたりの電力使用量として「２」、工数として「２」、水使用量として「２」を読み込み、これらに解体情報テーブル１２２から得られる再生対象の回収物重量として１ｋｇ（＝１０００ｇ）を読み込み、これらを乗じて解体に必要となるユーティリティ量（電力使用量「２」、工数「２」、水使用量「２」、酸使用量「０」）を算出する。そして、コスト、環境負荷情報テーブル１２６から単位量あたりの各ユーティリティのコスト単価を読み込み（電力「１５」、工数「２０」、水「５」、酸「８」）、ユーティリティ量とコスト単価を乗じ、各ユーティリティのコストを合計することで再生コスト（再生コスト「８０」）を算出し、出力情報テーブル１２７の再生コスト領域１２７ｊに値を格納する。同様の操作を製品ＩＤ「１」の製品の処理方法として定義されている処理ＩＤ「１５」までの各処理について実施する。以上の操作で、出力情報テーブル１２７の解体コスト領域１２７ｇ、再生コスト領域１２７ｊには図１０に示すような値が格納される。
【００４６】
次に、各処理方法の環境負荷を導出する。（ステップＳ６）
具体的に説明すると、環境負荷算出部１１５が、各処理ＩＤについて定義された解体ＩＤの解体方法で用いるユーティリティのデータを解体ユーティリティテーブル１２３から読み込み、このデータと製品情報テーブル１２１から得られる解体対象の製品重量を乗じて製品の解体に必要となるユーティリィ量を算出する。そして、得られた値とコスト、環境負荷情報テーブル１２６に定義された環境負荷コスト換算係数１２６ｃを乗じることで解体環境負荷を算出し、出力情報テーブルの解体環境負荷領域１２７ｈに格納する。同様に、各処理ＩＤについて定義された再生ＩＤの再生方法で用いるユーティリティのデータを再生ユーティリティテーブル１２５から読み込み、これと解体方法テーブル１２２から得られる再生対象の回収物重量を乗じて素材の再生に必要となるユーティリティ量を算出する。そして、得られた値とコスト、環境負荷情報テーブル１２６に定義された環境負荷コスト換算係数１２６ｃを乗じることで再生環境負荷を算出し、出力情報テーブルの再生環境負荷領域１２７ｋに格納する。
【００４７】
例えば、ステップＳ４までの処理で、図１０に示す出力情報テーブル１２７の様に処理ＩＤ「５」の処理方法の解体方法として解体ＩＤ「２」、再生方法として「１」と「９」が定義されている場合、解体ユーティリティテーブル１２３から解体対象製品１ｋｇあたりの電力使用量として「１」、工数として「１」、水使用量として「１」を読み込み、これらに製品情報テーブル１２１から得られる解体対象の製品重量として１ｋｇを読み込み、これらを乗じて解体に必要となるユーティリティ量（電力使用量「１」、工数「１」、水使用量「１」）を算出する。そして、コスト、環境負荷情報テーブル１２６から単位量あたりの各ユーティリティの環境負荷コスト換算係数１２６ｃを読み込み（電力「１５」、工数「１」、水「２」）、ユーティリティ量と環境負荷コスト換算係数を乗じ、各ユーティリティの環境負荷コストを合計することで解体環境負荷を算出し（解体環境負荷「１８」）、出力情報テーブル１２７の解体環境負荷領域１２７ｈに値を格納する。同様に、再生ユーティリティテーブル１２５から再生対象の回収物１ｋｇあたりの電力使用量として「２」、「３」、工数として「２」、「３」、水使用量として「２」、「３」、酸使用量として「０」、「３」を読み込み、これらに解体方法テーブル１２２から得られる再生対象の回収物ＩＤ「２」、「３」のそれぞれの重量として０．１ｋｇ，０．９ｋｇを読み込み、これらを乗じて再生に必要となるユーティリティ量（電力使用量「０．２」、「２．７」、工数「０．２」、「２．７」、水使用量「０．２」、「２．７」、酸使用量「０」、「２．７」）を算出する。そして、コスト、環境負荷情報テーブル１２６から単位量あたりの各ユーティリティの環境負荷コスト換算係数を読み込む（電力「１５」、工数「１」、水「２」、酸「３０」）。各ユーティリティ量と環境負荷コスト換算係数を乗じ、各ユーティリティの環境負荷コストを合計することで再生環境負荷（再生環境負荷「１３３」）を算出し、出力情報テーブル１２７の再生環境負荷領域１２７ｋに値を格納する。
【００４８】
同様の操作を製品ＩＤ「１」の製品の処理方法として定義されている処理ＩＤ「１５」までの各処理について実施する。以上の操作で、出力情報テーブル１２７の解体環境負荷領域１２７ｈ、再生環境負荷領域１２７ｋには図１０に示すような値が格納される。
【００４９】
最後に、コスト、環境負荷最小となる処理方法を出力する。（ステップＳ７）
具体的に説明すると、表示制御部１１６が、解体コストと解体環境負荷の合計値を解体統合指標として、再生コストと再生環境負荷の合計値を再生統合指標として出力情報テーブル１２７の解体統合指標領域１２７ｉ、再生統合指標領域１２７ｌに格納する。そして、評価製品名とその構成素材、再生処理によって得られる再生素材の量がユーザによって予め指定された条件と同一となる処理について、解体統合指標と再生統合指標の合計値(統合指標値と呼ぶ)を示したグラフ、統合指標値が最小となる処理ＩＤの値４０１と解体する部品名、再生素材の量、統合指標値等を示した画面を作成し、出力する。
【００５０】
例えば、図１０に示す出力情報テーブル１２７において、解体コスト領域１２７ｇと解体環境負荷領域１２７ｈの値を合計して解体統合指標領域１２７ｉに、再生コスト領域１２７ｊと再生環境負荷領域１２７ｋの値を合計して再生統合指標領域１２７ｌに格納する。次に、出力情報テーブル１２７に登録された処理方法のうち、例えば鉄６００ｇ、銅３００ｇ、Ｎｄ磁石１００ｇが再生される処理方法は処理ＩＤ「３」「６」「１２」「１５」であるため、これらの処理の解体統合指標と再生統合指標の合計値を示したグラフを作成し、当該グラフと評価製品の名前とその構成素材、重量と、統合指標の合計値が最小となる処理ＩＤ「１５」の解体部品、再生素材とその重量、統合指標値を画面上に表示(図１１参照)、出力する。
【００５１】
前記した図１１の算出結果画面では、再生処理の結果、再生素材が鉄６００ｇ、銅３００ｇ、Ｎｄ磁石１００ｇとなり、構成素材とほぼ同等の再生結果が得られる処理方法(処理ＩＤ)を出力の対象としている。（実際には、再生処理において回収率が１００％となることは考えられないが、本実施例では再生処理において失われる素材は誤差として考慮していない。）しかし、再生処理の結果、Ｎｄ磁石１００ｇは失われても、鉄６００ｇ、銅３００ｇが効率よく、低コストにて求まれば、ユーザの要求を満たす場合もあると考えられる。そのような場合の処理方法は処理ＩＤ「７」「９」「１１」である。従って、ユーザが要求する再生素材によって、図１１においてグラフを表示する処理ＩＤの対象は異なることになる。このため、出力は、図１１で示した様な、再生素材が鉄６００ｇ、銅３００ｇ、Ｎｄ磁石１００ｇとなる処理についてのみではなく、処理によって得られうる再生素材とその重量のパターン全てにおいて、図１１に示すような画面を出力する。
【００５２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５３】
１００  リサイクル処理コスト、環境負荷評価装置
１１０  ＣＰＵ
１１１  データ受付部
１１２  全解体方法導出部
１１３  全再生方法導出部
１１４  コスト算出部
１１５  環境負荷算出部
１１６  表示制御部
１２０  記憶装置
１２１  製品情報テーブル
１２２  解体方法テーブル
１２３  解体ユーティリティテーブル
１２４  再生方法テーブル
１２５  再生ユーティリティテーブル
１２６  コスト、環境負荷情報テーブル
１２７  出力情報テーブル
１３０  メモリ
１４０  ディスク記録・再生装置
１５０  通信装置
１６０  入出力インターフェース
１６１  ディスプレイ
１６２  キーボード・マウス
２０１  データサーバ
２０２  ネットワーク
３００  データ入力画面
３０１  製品情報ファイル読込み欄
３０２  解体情報ファイル読込み欄
３０３  再生情報ファイル読込み欄
３０４  コスト、環境負荷原単位ファイル読込み欄
３０５  評価製品選択欄
３０６  参照釦
３０７  読込釦
３０８  処理実行釦
４００  コスト、環境負荷算出結果出力画面
４０１  統合指標値が最小となる処理ＩＤのグラフ
【図１】
0005806978.tif 000002
【図２】
0005806978.tif 000003
【図３】
0005806978.tif 000004
【図４】
0005806978.tif 000005
【図５】
0005806978.tif 000006
【図６】
0005806978.tif 000007
【図７】
0005806978.tif 000008
【図８】
0005806978.tif 000009
【図９】
0005806978.tif 000010
【図１０】
0005806978.tif 000011
【図１１】
0005806978.tif 000012
【図１２】
0005806978.tif 000013